(57)【要約】【課題】秘密画像の閲覧を、簡易な方法で抑制できる画像処理装置及びその方法並びにプログラム、及び表示装置を提供する。【解決手段】第一の画像と、第一の画像の画素の輝度値と加算したときに少なくとも一部が第一の画像とは相関のない画像となるように定められた第二の画像と、すべての複数の画像の画素の輝度値を加算して得られる画像が第一の画像より高い空間周波数成分を多く含む画像となるように定められた第三の画像とを含む複数の画像を表示装置に順次出力する画像処理装置は、表示装置と観察者との間に設けられた光シャッタを、第一の画像の一部または全部が表示されている期間は光透過状態にあるように、その他の画像が表示されている期間は遮光状態にあるように制御する光シャッタ制御手段を有する。【選択図】図１
2008146752.tif 000002
【特許請求の範囲】
【請求項１】
複数の画像の画像信号を表示装置に順次出力する画像処理装置において、
前記複数の画像のうち、第一の画像と第二の画像とは、それぞれの画像の画素の輝度値を加算した際に、前記第一の画像とは相関のない画像となる関係にあり、
前記第一の画像と前記第二の画像とを含む、全ての出力画像の画素の輝度値を加算した際に得られる画像が、前記第一の画像と同じ空間周波数以上の空間周波数成分を多く含む画像となるように第三の画像を定める手段と、
前記表示装置と観察者との間に設けられた光シャッタを、前記第一の画像の一部または全部が表示されている期間は光透過状態にあるように、その他の画像が表示されている期間は遮光状態にあるように制御する光シャッタ制御手段を有することを特徴とする画像処理装置。
【請求項２】
前記第三の画像が、第一の画像のコントラスト以上のコントラストを有する画像である請求項１に記載の画像処理装置。
【請求項３】
前記第三の画像が、前記第一の画像より高い空間周波数成分を含む幾何学模様である請求項１に記載の画像処理装置。
【請求項４】
前記第三の画像が、メモリに蓄えられたパターンの中から前記第一の画像の空間周波数に応じて選択された画像である請求項１に記載の画像処理装置。
【請求項５】
前記第一の画像が複数のブロックに分けられ、
前記第三の画像が、前記第一の画像の各ブロックの空間周波数に応じて選択された画像である請求項１に記載された画像処理装置。
【請求項６】
前記第二の画像を生成する反転画像生成手段を有することを特徴とする請求項１に記載の画像処理装置。
【請求項７】
前記第三の画像を生成する公衆画像生成手段を有することを特徴とする請求項１に記載の画像処理装置。
【請求項８】
複数の画像の画像信号を表示装置に順次出力する画像処理方法において、
前記複数の画像のうち、第一の画像と第二の画像は、それぞれの画像の画素の輝度値を加算した際に、前記第一の画像とは相関のない画像となる関係にあり、
前記第一の画像と前記第二の画像とを含む、全ての出力画像の画素の輝度値を加算した際に得られる画像が、前記第一の画像と同じ空間周波数以上の空間周波数成分を多く含む画像となるように第三の画像を定め、
前記表示装置と観察者との間に設けられた光シャッタを、前記第一の画像の一部または全部が表示されている期間は光透過状態とし、その他の画像が表示されている期間は遮光状態として、前記光シャッタを制御することを特徴とする画像処理方法。
【請求項９】
前記第三の画像として、第一の画像のコントラスト以上のコントラストを有する画像を用いる請求項８に記載の画像処理方法。
【請求項１０】
前記第三の画像として、前記第一の画像より高い空間周波数成分を含む幾何学模様の画像を用いる請求項８に記載の画像処理装置。
【請求項１１】
前記第三の画像を、メモリに蓄えられたパターンの中から前記第一の画像の空間周波数に応じて選択する請求項８に記載の画像処理方法。
【請求項１２】
前記第一の画像を複数のブロックに分け、
前記第三の画像を、前記第一の画像の各ブロックの空間周波数に応じて選択する請求項８に記載された画像処理方法。
【請求項１３】
前記第二の画像を生成する請求項８に記載の画像処理方法。
【請求項１４】
前記第三の画像を生成する請求項８に記載の画像処理方法。
【請求項１５】
複数の画像の画像信号を表示装置に順次出力する制御を行うための画像処理プログラムにおいて、
コンピュータに、
前記複数の画像のうち、第一の画像と第二の画像とは、それぞれの画像の画素の輝度値を加算した際に、前記第一の画像とは相関のない画像となる関係にあり、前記第一の画像と前記第二の画像とを含む、全ての出力画像の画素の輝度値を加算した際に得られる画像が、前記第一の画像と同じ空間周波数以上の空間周波数成分を多く含む画像となるように第三の画像を定める機能と、
前記表示装置と観察者との間に設けられた光シャッタを、前記第一の画像の一部または全部が表示されている期間は光透過状態とし、その他の画像が表示されている期間は遮光状態として、前記光シャッタを制御する機能とを実行させることを特徴とする画像処理プログラム。
【請求項１６】
前記第三の画像として、第一の画像のコントラスト以上のコントラストを有する画像を用いる請求項１５に記載の画像処理プログラム。
【請求項１７】
前記第三の画像として、前記第一の画像より高い空間周波数成分を含む幾何学模様の画像を用いる請求項１５に記載の画像処理プログラム。
【請求項１８】
前記コンピュータに、
前記第三の画像を、メモリに蓄えられたパターンの中から前記第一の画像の空間周波数に応じて選択する機能を実行させる請求項１５に記載の画像処理プログラム。
【請求項１９】
前記コンピュータに、
前記第一の画像を複数のブロックに分け、前記第三の画像を、前記第一の画像の各ブロックの空間周波数に応じて選択する機能を実行させる請求項１５に記載された画像処理プログラム。
【請求項２０】
複数の画像の画像信号を順次表示する表示装置において、
前記複数の画像のうち、第一の画像と第二の画像とは、それぞれの画像の画素の輝度値を加算した際に、前記第一の画像とは相関のない画像となる関係にあり、
前記第一の画像と前記第二の画像とを含む、全ての出力画像の画素の輝度値を加算した際に得られる画像が、前記第一の画像と同じ空間周波数以上の空間周波数成分を多く含む画像となるように第三の画像を定める手段と、
前記表示装置と観察者との間に設けられた光シャッタを、前記第一の画像の一部または全部が表示されている期間は光透過状態にあるように、その他の画像が表示されている期間は遮光状態にあるように制御する光シャッタ制御手段とを有することを特徴とする表示装置。
【発明の詳細な説明】
【技術分野】
【０００１】
本発明は、画像処理装置及びその方法並びにプログラム、及び表示装置に関し、特に、特定の使用者・認証された人にその内容を提示することができる装置、方法並びにプログラムに関する。
【背景技術】
【０００２】
液晶ディスプレイやプラズマディスプレイをはじめとするフラットパネルディスプレイは、携帯電話といったモバイル機器から、公衆ディスプレイといった大型装置にまで、幅広く適用されている。こういったディスプレイの多くは、広視野角、高輝度、高画質といった点に開発の重点が置かれており、どのような角度からでも、きれいに見やすく表示する装置が求められてきた。【０００３】
一方、ディスプレイで表示するコンテンツの中には、秘密情報やプライベートデータなど他人には見られたくないものもある。情報機器の発達にともなうユビキタス化が進展する現在、不特定の人たちがいる公衆下であっても、他の人に表示コンテンツを見られないようにすることが重要な課題となっている。加えて、オフィス内においても、座席の後ろを通る人に見られたくない秘密情報を扱う場合もある。【０００４】
携帯電話などには、光学的な遮蔽板（ルーバー）を設けて、特定の方向からのみ表示内容を見ることができるようなディスプレイが搭載されているものもある。しかし、それでも真後ろからは表示を見ることができてしまうため、機密保持の点からは十分とはいえない。【０００５】
これらの問題を解決する技術としては、特許文献１に開示される「画像表示装置」がある。この画像表示装置は、画像選択機能を有する眼鏡を視聴者がつけることによって、眼鏡をかけた人にのみ画像（以下、秘密画像とよぶ）を提供し、その他の人には別の画像（以下、公衆画像とよぶ）を見せるものである。【０００６】
具体的には、図１１のような画像表示装置において、入力画像信号１１を１フレーム分の画像情報蓄積メモリ１２にフレーム信号１３で制御されて蓄積し、次に画像情報蓄積メモリ１２から画像情報をフレーム周期の２倍の速度で２回読み出し、最初に読み出された信号は２分の１に圧縮された第一画像信号１４として合成回路１５に入力し、次に読出された画像信号は彩度及び輝度が変換された後第二画像信号１７として合成回路１５に入力される。従って画像表示器１８には第一画像信号１４と、第二画像信号１７とが交互に表示される。一方フレーム信号１３は眼鏡シャッタタイミング発生回路１９により眼鏡２１のシャッタを駆動し、第二画像信号１７による画像が視聴者に見えないように眼鏡シャッタが駆動される。このような構成、動作によって、眼鏡をかけない人は、第一画像信号１４と、第二画像信号１７の合成画像である第一画像信号とは関係のない灰色画像あるいは第三の画像（公衆画像）を見ることとなり、眼鏡をかけた人は第一画像信号による所望の画像（秘密画像）を見ることができる。【０００７】
また、上記問題を解決する別の技術としては、特許文献２に開示される「公衆が見ることのできるディスプレイでプライベートに見ることができるデータを提供する方法」がある。特許文献２に開示されるプライベートに見ることができるデータを提供する方法は、画像の許可されたユーザ（観察者）だけが、ディスプレイ上のプライベート画像（秘密画像）を解読することができるようにすると同時に、許可されないユーザが、単にランダムなパターン、判読しにくいイメージ、またはおそらくはスクリーン・セーバ画像（公衆画像）を見ることができるものである。この目的を助長するために、データ隠蔽パターンおよび交番パターンを含む画像処理技法を、画像処理技術によって作られた画像を組み込んだディスプレイと同期する、たとえばアクティブ・グラスなどのウェアラブル・デバイスと組み合わせる。最後に、人間の視覚系の、似ていない画像を単一の画像に融合させる既知の能力によって、公衆が見ることのできるディスプレイでプライベートに見ることのできるデータを提供する能力が完成する。【０００８】
【特許文献１】特開昭６３−３１２７８８号公報
【特許文献２】特開２００１−２５５８４４号公報
【発明の開示】
【発明が解決しようとする課題】
【０００９】
しかしながら、上記特許文献１や特許文献２に開示される発明においては、シャッタ眼鏡を有しない人が視線を急に動かすと、第一画像信号の画像と第二画像信号の画像にずれが生じ、それらの合成画像に秘密画像の輪郭部を知覚することにより、秘密画像の内容を判読されてしまう場合がある。このような現象は、シャッタ眼鏡を有しない人が意図しなくても、まばたきなどで眼が動く場合にも生じてしまう。【００１０】
さらに、特許文献２には、秘密画像を複数画像に分けた分散画像を、その間に公衆画像をはさみながら順次表示することで、分散画像の合成画像である秘密画像の閲覧を防止することが開示されている。しかし、この場合においては、分散画像の生成に用いられる分散模様（例えば秘密画像を２つの分散画像にする場合に、その画像の空間的な分割の仕方によって生成される模様）が、シャッタ眼鏡を有しない人のまばたきなどで瞬間的に知覚されやすくなり、目障りとなり問題である。【００１１】
本発明の目的は、上述したような秘密画像の閲覧や目障りさを、簡易な方法で抑制できる画像処理装置及びその方法並びにプログラム、及び表示装置を提供することにある。
【課題を解決するための手段】
【００１２】
上記の目的を達成するため、本発明に係る画像処理装置は、複数の画像の画像信号を表示装置に順次出力する画像処理装置において、
前記複数の画像のうち、第一の画像と第二の画像とは、それぞれの画像の画素の輝度値を加算した際に、前記第一の画像とは相関のない画像となる関係にあり、
前記第一の画像と前記第二の画像とを含む、全ての出力画像の画素の輝度値を加算した際に得られる画像が、前記第一の画像と同じ空間周波数以上の空間周波数成分を多く含む画像となるように第三の画像を定める手段と、
前記表示装置と観察者との間に設けられた光シャッタを、前記第一の画像の一部または全部が表示されている期間は光透過状態にあるように、その他の画像が表示されている期間は遮光状態にあるように制御する光シャッタ制御手段とを有することを特徴とする。【００１３】
本発明によれば、第一の画像（秘密画像）と、第一の画像の画素の輝度値と加算したときに少なくとも一部が第一の画像とは相関のない画像となるように定められた第二の画像（例えば反転画像）とを含み、表示する複数の画像を加算した画像が高い空間周波数成分を多く含む画像、例えば、眼につきやすい、コントラストの高い幾何学模様となるように第三の画像（公衆画像）を定めることによって、秘密画像が眼につきにくくなり、光シャッタを介さずに直接画像を観察する人が意図してもしなくても、秘密画像を知覚することが困難となる。さらに、すべての画像（第一の画像、第二の画像、第三の画像を含む）を加算した画像の空間周波数特性が秘密画像の空間周波数特性と類似するよう公衆画像を定めると、マスキング効果により、秘密画像の内容がより知覚されにくくなり、よって、光シャッタを介さずに直接画像を観察する人に対する秘密画像の秘匿度を上げることができる。以上により、シャッタ眼鏡を有しない人の秘密画像の閲覧を抑制できる。
【発明の効果】
【００１４】
本発明によれば、光シャッタを介さずに直接画像を観察する人による秘密画像の閲覧を簡易な方法で抑制できる。
【発明を実施するための最良の形態】
【００１５】
〔発明の原理〕
上述した従来技術では、シャッタ眼鏡を有しない人が、意図してもしなくても秘密画像や分散画像の模様を知覚できてしまう。この知覚は、まばたきを意図的に高速に行ったり、画面を眺めているときにまばたきをしたりしたときに生じる。このような知覚は、秘密画像とその色成分ごとの輝度反転画像（以下、「反転画像」という）の時間積分による秘密画像の打ち消しがうまくいかないことと、公衆画像の状態（輝度、画像の空間周波数特性）が、打ち消しがうまくいかなかった秘密画像をとらえやすいものになっていることに起因する。【００１６】
例えば、図９（ａ）に示すように秘密画像が白と黒の市松模様で、反転画像が白黒逆の模様の場合、相関のない画像（知覚画像）は画面全体が同じ階調である空間周波数の低いベタ画像となり、もしも視線が動くと市松模様の輪郭部を瞬間的にとらえてしまう。これに、図９（ｂ）に示す第三の画像（公衆画像）を加えたとしても、公衆画像がベタ画像だと、図のようによほど秘密画像が公衆画像と比較して暗くない限り、意図しなくてもまばたきなどで市松模様（秘密画像）を知覚してしまう。【００１７】
公衆画像に眼をひきつけることによって、秘密画像を相対的にとらえにくくなり、このような知覚を起こさないようにすることができる。【００１８】
そこで本発明では、公衆画像を眼につきやすい画像、例えば、空間周波数が高く、コントラストの高い幾何学模様に設定する。
すなわち、図９（ｃ）に示すように公衆画像を白と黒のようにコントラストが高い要素で構成し、人が目にとめやすい輪郭部を多く含む画像、すなわち空間周波数の高い幾何学模様のような画像に設定することで、秘密画像を相対的に目にとめにくくし、秘密画像の閲覧を簡易な方法で抑制するものである。【００１９】
また、図９（ｄ）に示すように秘密画像が文字の画像の場合も、相関のない画像（知覚画像）は画面全体が同じ階調である空間周波数の低いベタ画像となり、もしも視線が動くと文字の輪郭部を瞬間的にとらえてしまうので、文字を判読されてしまう。図９（ｅ）に示すように公衆画像の幾何学模様の周期を短く、すなわち高周波特性を含む画像とすることで、マスキング効果により、秘密画像の内容がより知覚されにくくなり、秘密画像の秘匿度を高めることができる。特に秘密画像が文字の場合には、文字のサイズと公衆画像の幾何学模様の周期を等しくする、すなわち秘密画像と公衆画像の空間周波数を等しくすると文字が判読されにくくなる。
これまでの説明では、第一の画像、第二の画像、第三の画像は、それぞれ単独で時系列に表示する場合を例にとって説明してきたが、図９（ｆ）のように、秘密画像の輝度を半分にした（第一の画像）／２と、反転画像と公衆画像の輝度をそれぞれ半分にしたものの和（第二の画像＋第三の画像）／２を交互に表示しても良い。さらに（第一の画像）／２と、（第二の画像＋第三の画像）／２と、（第三の画像）を順次表示しても良い。この場合、第一の画像（秘密画像）と第三の画像（公衆画像）の輝度比が大きくなり、同様にコントラストも相対的に高くなり、より効果的に秘密画像の閲覧を防止できる。なお、秘密画像と反転画像は輝度の値で加算して打ち消しあう関係であれば良く、秘密画像が視認しにくくならない範囲で公衆画像と比較して暗くした方が望ましい。
空間周波数が等しい場合の他の例として、図１０（ａ）に示すように、第三の画像に第一の画像と同じサイズの文字を使うことも可能である。ただし、画像の内容として相関の無いもの、類推できないものを使用するのは当然である。
図１０（ｂ）は第一の画像の一部を秘密画像とする場合を示している。秘密にしたい部分を第二の画像では反転させ、第三の画像で幾何学模様を設けることで、同様の効果が得られる。【００２０】
このような秘密画像の知覚抑制は、図１０（ｃ）に示す分散画像の模様に対しても当然に適用可能である。図では分散模様として公衆画像の市松模様を用いて秘密画像を２つに分けている。反転画像は分散画像それぞれの反転画像である。さらに、文字のサイズと公衆画像の幾何学模様の周期を等しくしている。このように分散画像の模様と分散画像の合成画像である秘密画像のそれぞれの空間周波数特性に応じた幾何学模様を設定することで、分散画像の模様が目障りでなく、秘密画像の内容も知覚されにくくなるという効果を得ることができる。
以上の説明では、画像が白黒の場合を例にとって説明したが、高コントラスト画像はカラー画像にも適用でき、この場合は高彩度画像と表しても等価である。【００２１】
上記方法によれば、以下に示す装置に適用することによって、光シャッタを介さずに表示された画像を見る人、例えばシャッタ眼鏡を有していない人、が他の秘密画像を簡単に閲覧できないようにし、秘匿性の高まった秘密画像表示を得ることができる。【００２２】
まず画像処理装置として、公衆画像にコントラストの高い幾何学模様を用いることで、秘匿性の高い秘密画像表示を実現できる。
また、表示装置として、公衆画像にコントラストの高い幾何学模様を表示することで、秘匿性の高い秘密画像表示を実現できる。
以下、上記原理に基づく本発明の好適な実施の形態について説明する。【００２３】
〔第１の実施形態〕
本発明を好適に実施した第１の実施形態について説明する。図１に、本実施形態にかかる画像処理装置の構成を示す。この画像処理装置は、本発明の原理に基づく処理を行う具体的な装置であり、順次入力する秘密画像（第一の画像）、反転画像（第二の画像）、公衆画像（第三の画像）を蓄積するメモリ１０１と、同期信号に基づいてメモリ１０１から順次出力される秘密画像、反転画像、公衆画像を表示装置で表示できるようにデータを割り当てるデータ割り当て回路１０２と、入力する同期信号をもとに、シャッタ眼鏡の光透過状態、遮光状態を制御するシャッタ眼鏡制御信号生成回路１０３とを有する構成である。【００２４】
また、メモリ１０１の出力信号を１１１、データ割り当て回路１０２の出力信号を１１２、シャッタ眼鏡制御信号生成回路１０３の出力信号を１１３とする。
メモリ１０１に蓄積された秘密画像、反転画像、公衆画像はデータ割り当て回路１０２に送られる。データ割り当て回路１０２では、同期信号に基づき、出力秘密画像、出力反転画像、出力公衆画像を期間ごとにデータ割り当てを行い、表示装置に出力する。【００２５】
図２に上記出力信号１１１、１１２、１１３の１フレーム期間のタイミングチャートの例を示す。このタイミングチャートをもとに、データ割り当て回路１０２の処理について説明する。ここでは、１フレームを６つのサブフレームに分割し、秘密画像を２サブフレーム、反転画像を２サブフレーム、公衆画像を２サブフレーム表示する構成について説明しているが、もちろんサブフレーム数や各画像への割り当ては、秘密画像表示と反転画像表示の輝度合成演算を行ったときに、秘密画像と相関のない画像となるのであれば任意に設定することができる。【００２６】
データ割り当て回路１０２では、秘密画像と反転画像、公衆画像が入力され、期間Ｔｏｎ１、Ｔｏｎ２に秘密画像のデータ割り当てを行い、期間Ｔｏｆｆ１、Ｔｏｆｆ２に反転画像および公衆画像のデータ割り当てを行う。なお、秘密画像Ｓと反転画像Ｒは、各画素に対してＳ＋Ｒの演算を行って画像を合成したときに、秘密画像とは相関のない画像となるものとする。例えば、秘密画像が図２の符号１２１に示す黒地に白で「ＡＢＣＤＥＦ」の文字が表わされた画像である場合には、反転画像は、図２の符号１２２に示す画像となる。【００２７】
データ割り当て回路１０２は期間Ｔｏｎ１ではまず、データ書き込み期間Ｗで画面の各画素に秘密画像であるＳ画像の階調値を表示装置に送る。その後次の書き込み期間Ｗまで光透過状態あるいは遮光状態を維持する。【００２８】
次にデータ割り当て回路１０２は期間Ｔｏｆｆ１でも、同様の過程（書き込み過程と光透過状態維持過程）により、反転画像Ｒおよび公衆画像Ｐのデータ割り当てを行い、それぞれの画像の階調再現を行う。【００２９】
データ割り当て回路１０２は期間Ｔｏｎ２、Ｔｏｆｆ２も同様の過程により、秘密画像Ｓと反転画像Ｒのデータ割り当てを行い、それぞれの画像の階調再現を行う。【００３０】
シャッタ眼鏡に送る信号１１３は、期間Ｔｏｎ１、Ｔｏｎ２の期間中眼鏡が光透過状態となり、期間Ｔｏｆｆ１、Ｔｏｆｆ２の期間中遮光状態となるような信号である。これは、映像の同期信号をもとにシャッタ眼鏡制御信号生成回路１０３で生成される。
以上の処理の結果、例えば、公衆画像として図２の符号１２３に示す幾何学模様の画像を用いた場合、シャッタ眼鏡を使用しない観察者は、図２の符号１２４に示す画像を知覚することになる。【００３１】
なお、データ割り当て回路１０２では１フレーム期間に、秘密画像Ｓ、反転画像Ｒ、公衆画像Ｐを出力しているが、このような順番は原則として基本的に任意である。例えば図３のように、図２のタイミングチャートからＲとＰの期間を交換（４番目のサブフレームと６番目のサブフレーム）しても、シャッタ眼鏡をかけている人、かけていない人とも、その知覚される画像に差はないからである。同様に、秘密画像Ｓの表示期間のあいだ、シャッタ眼鏡が光透過状態となるように、シャッタ眼鏡制御信号生成回路１０３の出力信号が生成されれば、秘密画像と反転画像、公衆画像の順番は基本的に任意でよい。【００３２】
ここで重要となるのは、公衆画像の模様である。公衆画像は、秘密画像が相対的に目につきにくくなるように、その模様はコントラストの高い幾何学模様であることが望ましい。【００３３】
図２に示すような短い周期でコントラストの高い模様が一面続くような画像は、上記発明の原理で示した模様の一例である。この模様の空間周波数特性と秘密画像の空間周波数特性が類似していれば、マスキング効果によって秘密画像の内容も閲覧されにくくなる。例えば、予めメモリに蓄えておいたいくつかのパターンの中から秘密画像の空間周波数に応じて公衆画像の模様を選択する。さらに、秘密画像を複数のブロックに分け、そのブロックごとに最適な空間周波数を有する公衆画像のパターンを選択すると、より効果的である。
以上のように、公衆画像を選択することによって、秘匿性の高い秘密画像表示を実現できる。【００３４】
〔第２の実施形態〕
本発明を好適に実施した第２の実施形態について説明する。本実施形態にかかる画像処理装置は、第１の実施形態にかかる画像処理装置とほぼ同様の構成であるが、反転画像生成部が含まれる点が第１の実施形態とは異なる。図４に本実施形態にかかる画像処理装置の構成を示す。反転画像生成部１０４はメモリ１０１からの秘密画像を入力とし、反転画像を出力するものである。【００３５】
反転画像生成部１０４は秘密画像を打ち消す反転画像として、秘密画像と反転画像を加算して秘密画像の「白」表示時の輝度となるような輝度に対応する値（階調など）を生成する。網膜上では階調ではなく輝度を積分して知覚するからである。
このような反転画像を生成すればメモリに反転画像を蓄積する必要がなくなり、メモリ容量を減らすことができる。【００３６】
以上のような構成により、メモリに蓄積する画像データの量を減らしつつ、第１の実施形態と同等の効果を実現することができる。【００３７】
〔第３の実施形態〕
本発明を好適に実施した第３の実施形態について説明する。本実施形態にかかる画像処理装置は、第１の実施形態にかかる画像処理装置とほぼ同様の構成であるが、公衆画像生成部が含まれる点が第１の実施形態とは異なる。図５に本実施形態にかかる画像処理装置の構成を示す。公衆画像生成部１０７は同期信号といった制御信号を入力とし、公衆画像を出力するものである。【００３８】
公衆画像生成部１０７は同期信号といった制御信号に応じて、幾何学模様を出力する。例えば８画素周期の市松模様であれば、同期信号から画像のXY座標を求め、Xを８で除した余りXmとYを８で除した余りYmが、Xm<４かつYm＜４、またはXm＞３かつYm＞３であるときには白、それ以外のときは黒表示とする。これによって、演算で市松模様を生成することができる。もちろん、市松模様以外の任意の模様を出力してよいし、秘密画像の模様を基にした空間周波数特性を示す情報の制御信号を加えて公衆画像を生成してもよい。【００３９】
以上のような構成により、メモリに蓄積する画像データの量をさらに減らし、第１の実施形態と同等の効果を実現することができる。【００４０】
〔第４の実施形態〕
本発明を好適に実施した第４の実施形態について説明する。図６に、本実施形態にかかる表示装置の構成を示す。表示装置としては特に制限はなく、プラズマディスプレイ、ＭＥＭＳスイッチを用いたディスプレイ、有機電界発光ディスプレイ、高速液晶ディスプレイなどがあげられる。【００４１】
この表示装置は、本発明の原理に基づく処理を行う具体的な装置であり、順次入力する秘密画像、反転画像、公衆画像を蓄積するメモリ２０１と、同期信号に基づいてメモリ２０１から順次出力される秘密画像、反転画像、公衆画像を、同期信号に基づいて表示装置に出力する表示順番を設定し、表示装置を駆動するための制御信号および画像信号を生成するディスプレイコントローラ２０５と、入力する同期信号をもとに、シャッタ眼鏡の光透過状態、遮光状態を制御するシャッタ眼鏡制御信号生成回路２０３と、表示部２０６とを有する構成である。【００４２】
本実施形態のように、第１の実施形態のデータ割り当て回路１０２での処理をディスプレイコントローラ２０５に内蔵することによって、表示装置でも同様の効果を実現できる。さらに、第２の実施形態の反転画像生成部１０４や第３の実施形態の公衆画像生成部１０７での処理をディスプレイコントローラ２０５に内蔵しても良い。
以上のような構成により、秘匿性の高い秘密画像表示を実現できる。【００４３】
〔第５の実施形態〕
本発明を好適に実施した第５の実施形態について説明する。本発明の画像処理は、コンピュータを用いたソフトウェア処理として実行することも可能である。すなわち、図７に示すように、画像処理部１３１を実質的にコンピュータによるソフトウェアで構成する。【００４４】
図８に、本実施形態にかかる画像処理部１３１における画像処理方法の流れを示す。この画像処理方法は、８ｂｉｔのラスタ画像である秘密画像Ｓｉｎ、反転画像Ｒｉｎが入力したとき、内部で公衆画像を生成し、画像の表示順番および眼鏡の透過遮光状態の設定を行うものである。ステップＳ２ないしＳ５が秘密画像生成部１０７における処理、ステップＳ６とＳ７がデータ割り当て回路１０２における処理、ステップＳ８ないしＳ１０がシャッタ眼鏡制御信号生成回路１０３における処理である。【００４５】
画像処理部１３１に秘密画像Ｓｉｎ、反転画像Ｒｉｎ（８ｂｉｔ）が入力する（ステップＳ１）。【００４６】
「公衆画像生成処理」
画像処理部１３１は、入力された画像信号がどの画素の画像信号であるかを示す情報（すなわち画素のＸＹ座標）を抽出する（ステップＳ２）。【００４７】
次に画像処理部１３１は、画素のＸＹ値を８で除した余りが共に４未満か、または３より大きいかを判定し（ステップＳ３）、判定値が真なら、公衆画像Ｐの値として２５５（すなわち「白」）を選択し（ステップＳ４）、偽なら、公衆画像Ｐの値として０（すなわち「黒」）を選択する（ステップＳ５）。【００４８】
「データ割り当て処理」
今回は第３の実施形態にあわせて、１フレームを６サブフレームに分割する（ステップＳ６）。画像処理部１３１は、現在出力するサブフレームが何番目のサブフレームなのかに応じて画像を選択・出力する。具体的には画像処理部１３１は、１番目：Ｓｉｎ、２番目：Ｒｉｎ、３番目：Ｐ、４番目：Ｐ、５番目：Ｓｉｎ、６番目：Ｒｉｎを選択する。秘密画像同士は隣り合わないようにしている（ステップＳ７）。また画像処理部１３１は、Ｓｉｎ＋Ｒｉｎの画素ごとの輝度加算結果画像は秘密画像と相関のない画像となるようにしている。【００４９】
「シャッタ制御信号生成処理」
画像処理部１３１は、選択した画像が秘密画像かどうかを調べ（ステップＳ８）、秘密画像であればシャッタを透過状態にする制御信号を出力し（ステップＳ９）、そうでなければシャッタを遮光状態にする制御信号を出力する（ステップＳ１０）。【００５０】
以上、上記ステップＳ１ないしＳ１０における画像処理部１３１による処理をコンピュータによるソフトウェア処理とすることで、特別なハードウェアを用いなくても上記第３の実施形態にかかる画像処理装置と同様の画像処理方法を実行できる。【００５１】
なお、図８に示したフローチャートは、上記本発明の第３の実施形態にかかる画像処理装置と同様の画像処理を行うものであるが、上記本発明の第１の実施形態、第２の実施形態にかかる画像処理装置と同様の画像処理も、コンピュータを用いたソフトウェア処理で行うことが可能である。なお、ソフトウェア処理のプログラムとして構築した場合、そのプログラムが記録媒体に記録され、商取引の対象となる。【００５２】
なお、上記各実施形態は、本発明の好適な実施の一例であり、本発明はこれに限定されることはない。
例えば、上記実施形態においては、ＲＧＢ信号それぞれについて格別な記載はないが、それぞれの信号成分について、上記実施形態に記載されていることを行うことによって、カラー画像においても、もちろん本発明の効果を得ることができる。【００５３】
また、ラスタ画像は必ずしも複数色の画像信号からなるカラー画像である必要はなく、単色画像であっても良い。すなわち、上記各実施形態において示した構成が必ずしも各色並列に設けられている必要はない。【００５４】
また、秘密画像を知覚するためにシャッタ眼鏡を使用する構成で説明したが、その構成は眼鏡に限る必要はもちろんない。表示と眼の間にシャッタを設ける構成であればどのようなものでも問題はない。【００５５】
さらに、本実施形態では、秘密画像を用いて説明してきたが、秘密画像の分散画像の内容およびその模様に対しても、同様な構成で本発明の効果を得ることができる。
このように本発明は様々な変形が可能である。【００５６】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。【００５７】
この出願は２００７年５月２５日に出願された日本出願特願２００７−１３９６０５を基礎とする優先権を主張し、その開示の全てをここに取り込む。
【図面の簡単な説明】
【００５８】
【図１】本発明を好適に実施した第１の実施形態にかかる画像処理装置の構成を示す図である。
【図２】第１の実施形態にかかる画像処理装置の各制御信号のタイミングチャートの例を示す図である。
【図３】第１の実施形態にかかる画像処理装置の各制御信号のタイミングチャートの別の例を示す図である。
【図４】本発明を好適に実施した第２の実施形態にかかる画像処理装置の構成を示す図である。
【図５】本発明を好適に実施した第３の実施形態にかかる画像処理装置の構成を示す図である。
【図６】本発明を好適に実施した第４の実施形態にかかる表示装置の構成を示す図である。
【図７】本発明を好適に実施した第５の実施形態にかかる画像処理方法を実行する装置の構成を示す図である。
【図８】第５の実施形態にかかる画像処理方法の処理の流れを示すフローチャートである。
【図９】図９（ａ）ないし図９（ｆ）は、本発明の原理を説明する図である。
【図１０】図１０（ａ）ないし図１０（ｃ）は、本発明の原理を説明する図である。
【図１１】汎用型の技術による画像処理装置の構成を示す図である。
【符号の説明】
【００５９】
１０１    メモリ
１０２    データ割り当て回路
１０３    シャッタ眼鏡制御信号生成回路
１０４    反転画像生成部
１０５    ディスプレイコントローラ
１０６    表示部
１０７    公衆画像生成部
１１１    メモリ１０１の出力信号
１１２    データ割り当て回路１０２の出力信号
１１３    シャッタ眼鏡制御信号生成回路１０３の出力信号
１３１    画像処理部
２０１    メモリ
２０２    ディスプレイコントローラ
２０３    シャッタ眼鏡制御信号生成回路
２０６    表示部
【図１】
2008146752.tif 000003
【図２】
2008146752.tif 000004
【図３】
2008146752.tif 000005
【図４】
2008146752.tif 000006
【図５】
2008146752.tif 000007
【図６】
2008146752.tif 000008
【図７】
2008146752.tif 000009
【図８】
2008146752.tif 000010
【図９】
2008146752.tif 000011
【図１０】
2008146752.tif 000012
【図１１】
2008146752.tif 000013
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
複数の画像の画像信号を表示装置に順次出力する画像処理装置において、
前記複数の画像は、第一の画像と第二の画像と第三の画像とを含み、第一の画像と第二の画像とは、それぞれの画像の画素の輝度値を加算した際に、前記第一の画像とは相関のない画像となる関係にあり、
前記第一の画像と前記第二の画像とを含む、全ての出力画像の画素の輝度値を加算した際に得られる画像が、前記第一の画像と同じ空間周波数以上の空間周波数成分を多く含む画像となるように第三の画像を定める手段と、
前記表示装置と観察者との間に設けられた光シャッタを、前記第一の画像の一部または全部が表示されている期間は光透過状態にあるように、その他の画像が表示されている期間は遮光状態にあるように制御する光シャッタ制御手段を有することを特徴とする画像処理装置。
【請求項２】
前記第三の画像が、第一の画像のコントラスト以上のコントラストを有する画像である請求項１に記載の画像処理装置。
【請求項３】
前記第三の画像が、前記第一の画像より高い空間周波数成分を含む幾何学模様である請求項１に記載の画像処理装置。
【請求項４】
前記第三の画像が、メモリに蓄えられたパターンの中から前記第一の画像の空間周波数に応じて選択された画像である請求項１に記載の画像処理装置。
【請求項５】
前記第一の画像が複数のブロックに分けられ、
前記第三の画像が、前記第一の画像の各ブロックの空間周波数に応じて選択された画像である請求項１に記載された画像処理装置。
【請求項６】
前記第二の画像を生成する反転画像生成手段を有することを特徴とする請求項１に記載の画像処理装置。
【請求項７】
前記第三の画像を生成する公衆画像生成手段を有することを特徴とする請求項１に記載の画像処理装置。
【請求項８】
複数の画像の画像信号を表示装置に順次出力する画像処理方法において、
前記複数の画像は、第一の画像と第二の画像と第三の画像とを含み、第一の画像と第二の画像は、それぞれの画像の画素の輝度値を加算した際に、前記第一の画像とは相関のない画像となる関係にあり、
前記第一の画像と前記第二の画像とを含む、全ての出力画像の画素の輝度値を加算した際に得られる画像が、前記第一の画像と同じ空間周波数以上の空間周波数成分を多く含む画像となるように第三の画像を定め、
前記表示装置と観察者との間に設けられた光シャッタを、前記第一の画像の一部または全部が表示されている期間は光透過状態とし、その他の画像が表示されている期間は遮光状態として、前記光シャッタを制御することを特徴とする画像処理方法。
【請求項９】
前記第三の画像として、第一の画像のコントラスト以上のコントラストを有する画像を用いる請求項８に記載の画像処理方法。
【請求項１０】
前記第三の画像として、前記第一の画像より高い空間周波数成分を含む幾何学模様の画像を用いる請求項８に記載の画像処理装置。
【請求項１１】
前記第三の画像を、メモリに蓄えられたパターンの中から前記第一の画像の空間周波数に応じて選択する請求項８に記載の画像処理方法。
【請求項１２】
前記第一の画像を複数のブロックに分け、
前記第三の画像を、前記第一の画像の各ブロックの空間周波数に応じて選択する請求項８に記載された画像処理方法。
【請求項１３】
前記第二の画像を生成する請求項８に記載の画像処理方法。
【請求項１４】
前記第三の画像を生成する請求項８に記載の画像処理方法。
【請求項１５】
複数の画像の画像信号を表示装置に順次出力する制御を行うための画像処理プログラムにおいて、
前記複数の画像は、第一の画像と第二の画像と第三の画像とを含み、第一の画像と第二の画像とは、それぞれの画像の画素の輝度値を加算した際に、前記第一の画像とは相関のない画像となる関係にあり、
コンピュータに、
前記第一の画像と前記第二の画像とを含む、全ての出力画像の画素の輝度値を加算した際に得られる画像が、前記第一の画像と同じ空間周波数以上の空間周波数成分を多く含む画像となるように第三の画像を定める機能と、
前記表示装置と観察者との間に設けられた光シャッタを、前記第一の画像の一部または全部が表示されている期間は光透過状態とし、その他の画像が表示されている期間は遮光状態として、前記光シャッタを制御する機能とを実行させることを特徴とする画像処理プログラム。
【請求項１６】
前記第三の画像として、第一の画像のコントラスト以上のコントラストを有する画像を用いる請求項１５に記載の画像処理プログラム。
【請求項１７】
前記第三の画像として、前記第一の画像より高い空間周波数成分を含む幾何学模様の画像を用いる請求項１５に記載の画像処理プログラム。
【請求項１８】
前記コンピュータに、
前記第三の画像を、メモリに蓄えられたパターンの中から前記第一の画像の空間周波数に応じて選択する機能を実行させる請求項１５に記載の画像処理プログラム。
【請求項１９】
前記コンピュータに、
前記第一の画像を複数のブロックに分け、前記第三の画像を、前記第一の画像の各ブロックの空間周波数に応じて選択する機能を実行させる請求項１５に記載された画像処理プログラム。
【請求項２０】
複数の画像の画像信号を順次表示する表示装置において、
前記複数の画像は、第一の画像と第二の画像と第三の画像とを含み、第一の画像と第二の画像とは、それぞれの画像の画素の輝度値を加算した際に、前記第一の画像とは相関のない画像となる関係にあり、
前記第一の画像と前記第二の画像とを含む、全ての出力画像の画素の輝度値を加算した際に得られる画像が、前記第一の画像と同じ空間周波数以上の空間周波数成分を多く含む画像となるように第三の画像を定める手段と、
前記表示装置と観察者との間に設けられた光シャッタを、前記第一の画像の一部または全部が表示されている期間は光透過状態にあるように、その他の画像が表示されている期間は遮光状態にあるように制御する光シャッタ制御手段とを有することを特徴とする表示装置。
【国際調査報告】
2008146752.tif 000014
2008146752.tif 000015
2008146752.tif 000016
2008146752.tif 000017